(57)【要約】【課題】加熱ローラの温度を検出する温度センサが該加熱ローラにおける誘導加熱位置から離れた位置に設けられる構成において，加熱ローラの異常停止に起因する該加熱ローラや定着ベルトの局所的な異常加熱を確実且つ早期に防止することのできる定着装置及び画像形成装置を提供すること。【解決手段】パルス検出回路８１により加熱ローラ５３の停止が検出されたことを条件に誘導コイル５４ａへの電力供給を遮断するゲート電源制御回路７３と，サーミスタ７８による検出温度が予め設定された上限設定温度以上に達したことを条件に誘導コイル５４ａへの電力供給を遮断する定着高温検知回路７５と，パルス検出回路８１により加熱ローラ５３の停止が検出されている場合の上限設定温度をパルス検出回路８１により加熱ローラ５３の回転が検出されている場合の上限設定温度よりも低く設定する上限設定温度変更回路９０とを備えて構成されている。【選択図】図２
2010066543.tif 000002
【特許請求の範囲】
【請求項１】
所定の駆動手段により回転駆動される定着ローラと，前記定着ローラとの間に張架された定着ベルトを介して該定着ローラから伝達される駆動力により回転駆動される加熱ローラと，前記加熱ローラの外周の所定領域を覆うように配置され，電力供給を受けて前記加熱ローラ及び／又は前記定着ベルトを誘導加熱する誘導加熱手段と，前記加熱ローラの回転及び停止を検出するローラ回転検出手段と，前記ローラ回転検出手段により前記加熱ローラの停止が検出されたことを条件に前記誘導加熱手段への電力供給を遮断する第１の電力供給遮断手段とを備えてなる定着装置であって，
前記誘導加熱手段による前記加熱ローラ及び／又は前記定着ベルトの誘導加熱が行われる位置から離間した位置で前記加熱ローラの温度を検出するローラ温度検出手段と，
前記ローラ温度検出手段による検出温度が予め設定された上限設定温度以上に達したことを条件に前記誘導加熱手段への電力供給を遮断する第２の電力供給遮断手段と，
前記ローラ回転検出手段により前記加熱ローラの停止が検出されている場合の前記上限設定温度を，前記ローラ検出手段により前記加熱ローラの回転が検出されている場合の前記上限設定温度よりも低く設定する上限設定温度変更手段と，
を備えてなることを特徴とする定着装置。
【請求項２】
前記上限設定温度変更手段が，前記加熱ローラの回転時に対応して予め設定された第１の上限設定温度と前記加熱ローラの停止時に対応して予め設定された前記第１の上限設定温度よりも低い第２の上限設定温度とを，前記ローラ回転検出手段による検出結果に応じて切り換えるものである請求項１に記載の定着装置。
【請求項３】
前記第１の電力供給遮断手段及び前記第２の電力供給遮断手段のいずれか一方が，前記誘導加熱手段への電力供給経路を遮断する経路遮断手段であって，他方が，前記誘導加熱手段に対する供給電力を制御するスイッチング手段へのスイッチング信号を停止させるスイッチング駆動停止手段である請求項１又は２のいずれかに記載の定着装置。
【請求項４】
請求項１〜３のいずれかに記載の定着装置を備えてなる画像形成装置。
【発明の詳細な説明】
【技術分野】
【０００１】
本発明は，誘導加熱方式の定着装置及びこれを備えた画像形成装置に関し，特に，異常加熱発生時に誘導加熱を強制的に停止させるための技術に関するものである。
【背景技術】
【０００２】
従来から，プリンタ装置や複写機，ファクシミリ装置，これらの複合機などの画像形成装置に，加熱ローラ及び定着ローラに張架された定着ベルトを加熱し，該定着ベルトを用紙に圧接することでその用紙にトナーを溶融定着させる定着装置が用いられることがある。
また，前記定着装置における定着ベルトの加熱には，回転する加熱ローラや定着ベルトの一部に誘導電流を作用させることによって該加熱ローラや定着ベルトを誘導加熱する誘導コイルや磁性体コアなどを備えた電磁誘導方式の加熱装置が用いられる。ここで，一般的な定着装置では，加熱ローラの温度を温度センサ等で検出し，その検出温度が予め設定された上限設定温度以上に達した場合に誘導加熱を停止させることによって異常加熱を防止している。
さらに，このような定着装置において誘導加熱が行われるとき，定着ベルトや加熱ローラが何らかの異常によって回転しない場合には，該定着ベルトや加熱ローラが局所的に集中して加熱されるおそれがある。そのため，例えば特許文献１には，加熱ローラや定着ベルトの回転が停止したことを検出した場合に，インバータ回路を停止させて誘導コイルへの電力供給を停止させることによって異常加熱を防止することが提案されている。具体的に，特許文献１では，インバータ回路に入力されるパルス信号の入力を停止させることや，インバータ回路のイネーブル／ディセーブルを切り換えるイネーブル信号によってインバータ回路の出力を停止させている。これにより，誘導加熱時に加熱ローラや定着ベルトの回転が停止したことに起因する異常加熱を早期に防止することができる。
【特許文献１】特開２００４−２７９６６１号公報
【発明の開示】
【発明が解決しようとする課題】
【０００３】
但し，前記特許文献１に開示されているように，加熱ローラや定着ベルトの回転が異常停止したとき，インバータ回路に入力されるパルス信号やイネーブル信号を停止させることによって該インバータ回路の出力を停止させる構成では，そのパルス信号やイネーブル信号を出力する制御回路にも異常が発生していれば，インバータ回路の出力を停止させることができない。そのため，異常加熱に対する安全策が万全なものとは言えなかった。
そこで，前述したように温度センサによる検出温度が上限設定温度以上に達した場合も誘導加熱を停止させるように構成することで二重の安全策を講じることが考えられる。これにより，そのいずれかの安全策によって異常加熱が防止される。
しかしながら，誘導加熱に用いる誘導コイル及び磁性体コアなどが前記加熱ローラの外周の所定領域を覆うように配置された構成（例えば図２参照）では，その温度センサを，加熱ローラの表面上の誘導加熱が行われる位置に接触させて配置することができず，誘導加熱が行われる位置から離れた位置に配置することになる。この場合，加熱ローラが停止した状態では，その温度センサは，加熱ローラにおける誘導加熱位置の温度を該加熱ローラ内の熱伝導によって間接的に検出することになる。そのため，温度センサによる検出温度が上限設定温度以上に達して誘導加熱を停止させるときには，既に加熱ローラの誘導加熱位置の温度は上限設定温度を超過していることになり，安全性に欠けるという問題がある。
従って，本発明は上記事情に鑑みてなされたものであり，その目的とするところは，加熱ローラの温度を検出する温度センサが該加熱ローラにおける誘導加熱位置から離れた位置に設けられる構成において，加熱ローラの異常停止に起因する該加熱ローラや定着ベルトの局所的な異常加熱を確実且つ早期に防止することのできる定着装置及び画像形成装置を提供することにある。
【課題を解決するための手段】
【０００４】
上記目的を達成するために本発明は，所定の駆動手段により回転駆動される定着ローラと，前記定着ローラとの間に張架された定着ベルトを介して該定着ローラから伝達される駆動力により回転駆動される加熱ローラと，前記加熱ローラの外周の所定領域を覆うように配置され，電力供給を受けて前記加熱ローラ及び／又は前記定着ベルトを誘導加熱する誘導加熱手段と，前記加熱ローラの回転及び停止を検出するローラ回転検出手段と，前記ローラ回転検出手段により前記加熱ローラの停止が検出されたことを条件に前記誘導加熱手段への電力供給を遮断する第１の電力供給遮断手段とを備えてなる定着装置に適用されるものであって，以下の（１）〜（３）を備えてなることを特徴とする定着装置として構成される。
（１）前記誘導加熱手段による前記加熱ローラ及び／又は前記定着ベルトの誘導加熱が行われる位置から離間した位置で前記加熱ローラの温度を検出するローラ温度検出手段。
（２）前記ローラ温度検出手段による検出温度が予め設定された上限設定温度以上に達したことを条件に前記誘導加熱手段への電力供給を遮断する第２の電力供給遮断手段。
（３）前記ローラ回転検出手段により前記加熱ローラの停止が検出されている場合の前記上限設定温度を，前記ローラ検出手段により前記加熱ローラの回転が検出されている場合の前記上限設定温度よりも低く設定する上限設定温度変更手段。例えば，前記上限設定温度変更手段は，前記加熱ローラの回転時に対応して予め設定された第１の上限設定温度と前記加熱ローラの停止時に対応して予め設定された前記第１の上限設定温度よりも低い第２の上限設定温度とを，前記ローラ回転検出手段による検出結果に応じて切り換えるものである。
【０００５】
本発明によれば，前記加熱ローラが異常停止したときに前記第１の電力供給遮断手段にも何らかの異常が生じており，該第１の電力供給遮断手段によって前記誘導加熱手段への電力供給が遮断されない場合でも，前記上限設定温度変更手段によって変更された後の前記加熱ローラの停止時に対応する上限設定温度に基づいて，前記第２の電力供給遮断手段によって前記誘導加熱手段への電力供給が遮断されることになるため，該誘導加熱手段による前記加熱ローラや前記定着ベルトの局所的な異常加熱を確実且つ早期に防止することができ，安全性を向上させることができる。
ここで，前記第１の電力供給遮断手段及び前記第２の電力供給遮断手段は，そのいずれか一方が，前記誘導加熱手段への電力供給経路を遮断する経路遮断手段であって，他方が，前記誘導加熱手段に対する供給電力を制御するスイッチング手段へのスイッチング信号を停止させるスイッチング駆動停止手段であることが望ましい。即ち，前記第１の電力供給遮断手段及び前記第２の電力供給遮断手段が異なる手法で，前記誘導加熱手段への電力供給を遮断するものであることが望ましく，これにより，一方の手法により電力供給を遮断することができない事態が生じていても，他方の手法により電力供給を遮断することができる。
ところで，本発明は，前記定着装置を備えてなる画像形成装置として捉えることも可能である。
【発明の効果】
【０００６】
本発明によれば，前記加熱ローラが異常停止したときに前記第１の電力供給遮断手段にも何らかの異常が生じており，該第１の電力供給遮断手段によって前記誘導加熱手段への電力供給が遮断されない場合でも，前記上限設定温度変更手段によって変更された後の前記加熱ローラの停止時に対応する上限設定温度に基づいて，前記第２の電力供給遮断手段によって前記誘導加熱手段への電力供給が遮断されることになるため，該誘導加熱手段による前記加熱ローラや前記定着ベルトの局所的な異常加熱を確実且つ早期に防止することができ，安全性を向上させることができる。
【発明を実施するための最良の形態】
【０００７】
以下添付図面を参照しながら，本発明の実施の形態について説明し，本発明の理解に供する。なお，以下の実施の形態は，本発明を具体化した一例であって，本発明の技術的範囲を限定する性格のものではない。
ここに，図１は本発明の実施の形態に係る複写機Ｘの概略構成を示すブロック図，図２は本発明の実施の形態に係る定着装置５の概略構成を示すブロック図，図３は本発明の実施の形態に係る定着装置５に設けられた上限設定温度変更回路９０の一例を説明するための回路図である。
まず，図１を用いて，本発明の実施の形態に係る複写機Ｘの概略構成について説明する。
図１に示すように，本発明の実施の形態に係る複写機Ｘは，操作表示部１，画像読取部２，画像処理部３，画像形成部４，定着装置５，及び制御部６などを備えて概略構成されている。前記複写機Ｘは，他にも一般的な電子写真方式の複写機が有する各種の構成要素を有しているが，それらについては従来と異なるところがないため，ここでは説明を省略する。なお，本発明は当該複写機Ｘに限られず，例えばプリンタ装置，ファクシミリ装置，これらの機能やスキャナ機能を有する複合機などの電子写真方式の画像形成装置にも適用可能である。
【０００８】
前記制御部６は，ＣＰＵ及びＲＯＭ，ＲＡＭ等の周辺装置を有してなり，前記ＲＯＭに格納された所定のプログラムに従った処理を実行することにより当該複写機Ｘを統括的に制御する。
前記操作表示部１は，前記制御部６からの指示に応じて各種の情報の表示を行う液晶ディスプレイや，前記制御部６への操作入力を行うためのタッチパネルなどを有している。
前記画像読取部２は，原稿台やＡＤＦ（自動搬送装置）にセットされた原稿の画像を読み取るものであって，該画像読取部２で読み取られた画像データは前記画像処理部３に入力される。
前記画像処理部３は，前記画像読取部２で読み取られた原稿の画像データや，ＬＡＮ等の通信網を介して図外の情報処理装置から入力された原稿の画像データなどに対して各種の画像処理を施すものである。前記画像処理部３で画像処理が施された後の画像データは，前記画像形成部４に入力される。
前記画像形成部４は，感光体ドラムや帯電器，現像装置，ＬＳＵなどを有してなり，前記画像処理部３から入力された原稿の画像データに基づいて用紙にトナー像（現像剤）を形成するものである。
そして，前記定着装置５は，前記画像形成部４によってトナー像が形成された用紙にそのトナー像を溶融定着させる。本発明の実施の形態に係る前記複写機Ｘは，前記定着装置５に関する構成及び動作に特徴を有しており，以下，その点について詳説する。
【０００９】
図２に示すように，前記定着装置５は，前記画像形成部４においてトナー像が転写された後，用紙搬送路５０上に搬送される用紙を圧接しながら回転する定着ローラ５１及び加圧ローラ５１ａと，前記定着ローラ５１との間に張架された定着ベルト５２を介して該定着ローラ５１から伝達される駆動力によって回転駆動される加熱ローラ５３と，前記加熱ローラ５３を誘導加熱する誘導コイル５４ａ及び磁性体コア５４ｂを有する誘導加熱部５４（誘導加熱手段の一例）と，前記誘導加熱部５４による加熱動作を制御する加熱制御部７とを備えている。
前記定着ローラ５１は，不図示のステッピングモータなどの所定の駆動手段に連結されており，該所定の駆動手段によって回転駆動される。前記定着ローラ５１が回転駆動されると，その駆動力によって前記定着ベルト５２が走行し，該定着ベルト５２から伝達される駆動力によって前記加熱ローラ５３が回転する。
【００１０】
ここで，前記加熱ローラ５３は，磁性材料から構成されたものである。そして，前記誘導加熱部５４の前記誘導コイル５４ａ及び前記磁性体コア５４ｂは，前記加熱ローラ５３の長手方向の幅と略同じ幅に形成されており，該加熱ローラ５３の外周の所定領域（図２参照，上部の半円周領域）を覆うように配置されている。これにより，前記磁性体コア５４ｂと前記加熱ローラ５３の表面との間に，前記誘導コイル５４ａで発生した磁束を導く磁気回路（磁路）が形成される。
前記定着装置５では，前記誘導コイル５４ａに交流電流を流すことによって発生する磁束が前記磁性体コア５４ｂと前記加熱ローラ５３との間に形成された磁気回路に作用することにより前記加熱ローラ５３の表面に発生する渦電流（誘導電流）によって，該加熱ローラ５３が加熱（誘導加熱）される。これにより，前記加熱ローラ５３に張架された前記定着ベルト５２が該加熱ローラ５３からの熱伝導によって加熱され，該定着ベルト５２に接触される用紙では，付着したトナーが溶融定着される。なお，前記定着ベルト５２が磁性部材から構成される場合には，前記磁性体コア５４ｂから作用する磁束によって該定着ベルト５２が誘導加熱される。
【００１１】
一方，前記加熱制御部７は，ＣＰＵ７１，ＩＧＢＴゲート駆動回路７２，ゲート電源制御回路７３，ＩＧＢＴ７４（絶縁ゲートバイポーラトランジスタ，スイッチング手段の一例），定着高温検知回路７５，リレーコイル７６，リレー接点７７，サーミスタ７８（ローラ温度検出手段の一例），ロータリーエンコーダ８０，パルス検出回路８１，及び上限設定温度変更回路９０などを有している。
前記加熱制御部７では，前記ＣＰＵ７１が不図示のＲＯＭやＲＡＭなどに記憶された制御プログラムや各種のパラメータに基づいて所定の制御処理（演算処理）を実行することによって，前記各構成部品が制御される。なお，前記ＣＰＵ７１は，前記制御部６からの制御指示に基づいて当該定着装置５における加熱動作を制御する。また，前記ＣＰＵ７１の処理機能が前記制御部６によって達成され，該ＣＰＵ７１が省略される構成であってもよい。
【００１２】
前記ロータリーエンコーダ８０は，前記加熱ローラ５３の回転に伴ってパルス信号を出力するものであって，該パルス信号は前記パルス検出回路８１に入力される。例えば，前記ロータリーエンコーダ８０は，前記加熱ローラ５３の回転軸に装着されて該加熱ローラ５３と同期して回転するエンコーダと，該エンコーダに形成されたスリット各々の検出に応じてパルス信号を出力するフォトインタラプタとを有している。
前記パルス検出回路８１は，前ロータリーエンコーダ８０からのパルス信号の入力の有無によって，前記加熱ローラ５３の回転及び停止を検出する。ここに，係る検出を行う前記パルス検出回路８１がローラ回転検出手段の一例である。なお，前記ローラ回転検出手段はこれに限られず，前記加熱ローラ５３の回転及び停止を検出し得るものであればよい。また，前記パルス検出回路８１は，前記ロータリーエンコーダ８０から入力されるパルス信号が所定周波数に安定したことを条件に前記加熱ローラ５３が回転していることを検出するものであってもよい。
前記パルス検出回路８１は，前記加熱ローラ５３の回転及び停止の検出結果を，前記ＣＰＵ７１，前記ゲート電源制御回路７３及び前記上限設定温度変更回路９０に入力する。例えば，前記パルス検出回路８１は，前記加熱ローラ５３の回転を検出した場合に“Ｈ”信号，停止を検出した場合に“Ｌ”信号を出力する。
【００１３】
前記ＣＰＵ７１は，例えば所定の駆動手段によって前記定着ローラ５１を回転させるための制御を行っているときに，前記パルス検出回路８１によって前記加熱ローラ５３の停止が検出された場合に，該定着ローラ５１から前記加熱ローラ５３への駆動力の伝達系統に異常が生じていると判断する。このとき，前記ＣＰＵ７１は，前記操作表示部１にその旨を表示する処理や，前記ＩＧＢＴゲート駆動回路７２に対するスイッチング信号の入力を停止する処理などを実行する。
【００１４】
前記ＩＧＢＴゲート駆動回路７２は，トランジスタやＦＥＴ，ＩＧＢＴなどであって，前記ＣＰＵ７１から前記ＩＧＢＴ７４へのスイッチング信号の入力の有無を切り換える。前記ＩＧＢＴ７４は，図外の一次電源から供給される直流電圧の前記誘導コイル５４ａへの供給の有無を，前記ＣＰＵ７１から入力されるスイッチング信号に従って切り換えるスイッチング動作を行うスイッチング手段である。なお，前記ＩＧＢＴ７４に換えてトランジスタやＦＲＴを用いてもよい。
前記ゲート電源制御回路７３は，前記パルス検出回路８１から入力される検出結果に応じて，所定の電源から前記ＩＧＢＴゲート駆動回路７２への電源供給経路の確立／遮断を切り換えることにより，該ＩＧＢＴゲート駆動回路７２による前記ＩＧＢＴ７４へのスイッチング信号の入力の有無を切り換える。具体的に，前記ゲート電源制御回路７３は，前記パルス検出回路８１によって前記加熱ローラ５３の停止が検出されたことを条件に，前記ＩＧＢＴゲート駆動回路７２への電源供給経路を遮断することにより，該ＩＧＢＴゲート駆動回路７２による前記ＩＧＢＴ７４へのスイッチング信号の入力を停止させる。
従って，前記定着装置５では，何らかの異常によって前記加熱ローラ５３が停止している場合，前記ＩＧＢＴゲート駆動回路７２から前記ＩＧＢＴ７４へのスイッチング信号の入力が停止され，前記誘導コイル５４ａへの電力供給が遮断されることにより，前記加熱ローラ５３の局所的な異常加熱が防止される。ここに，前記ＩＧＢＴゲート駆動回路７２及び前記ゲート電源制御回路７３が第１の電力供給遮断手段及びスイッチング駆動停止手段の一例である。
【００１５】
また，前記加熱制御部７では，前記加熱ローラ５３の温度が予め設定された上限設定温度以上に達したときに，前記誘導コイル５４ａへの電力供給を遮断することにより，該加熱ローラ５３の異常加熱を防止するための構成も採られている。以下，係る構成について説明する。
前記定着装置５では，前記加熱ローラ５３の外周の所定領域を覆うように配置された前記誘導加熱部５４によって前記加熱ローラ５３が誘導加熱されるため，その誘導加熱が行われる位置（以下「誘導加熱位置」という）の近傍に前記サーミスタ７８を配置することができない。
そのため，前記サーミスタ７８は，前記加熱ローラ５３の誘導加熱位置から離れた位置に配置されており，該位置において前記加熱ローラ５３の温度を検出する。具体的に，前記サーミスタ７８は，前記加熱ローラ５３の外周上における前記誘導加熱位置の反対側であって前記誘導加熱部５４で覆われていない位置に配置されている。また，前記サーミスタ７８は，前記加熱ローラ５３の外周表面に感熱部を接触させて該加熱ローラ５３の温度を検出する接触式温度センサである。
【００１６】
そして，前記サーミスタ７８で検出された前記加熱ローラ５３の温度は，前記ＣＰＵ７１及び前記定着高温検知回路７５に入力される。前記ＣＰＵ７１では，前記サーミスタ７８による検出温度に基づいて前記ＩＧＢＴ７４に出力するスイッチング信号を制御することにより前記定着ベルト５２の温度を所定の定着温度に維持する定着温度制御が実行される。
一方，前記定着高温検知回路７５は，前記サーミスタ７８によって検出された前記加熱ローラ５３の温度が，予め設定された上限設定温度以上に達しているか否かを判断し，該上限設定温度以上に達していることを条件に，前記リレーコイル７６への通電の有無を制御して，前記誘導コイル５４ａへの電力供給を遮断する。ここに，係る制御を行うときの前記定着高温検知回路７５が第２の電力供給遮断手段の一例である。なお，前記上限設定温度は，前記加熱ローラ５３の異常加熱状態を検知するための温度として予め設定されるものである。
前記リレーコイル７６は，前記定着高温検知回路７５によって制御される通電の有無に応じて，図外の一次電源から前記ＩＧＢＴ７４を経て前記誘導コイル５４ａに続く電力供給経路上に設けられたリレー接点７７をＯＮ／ＯＦＦすることによって，該電力供給経路の確立／遮断を切り換える。
なお，前記定着高温検知回路７５は，前記誘導コイル５４ａへの電力供給を強制的に遮断することのできるものであればよく，ここで説明するものに限られない。例えば，前記ＩＧＢＴゲート駆動回路７２から前記ＩＧＢＴ７４へのスイッチング信号の入力経路の確立／遮断を切り換えることにより前記ＩＧＢＴ７４の駆動の有無を制御し，前記誘導コイル５４ａへの電力供給の有無を切り換えるものであってもよい。
【００１７】
ところで，前記定着高温検知回路７５において前記誘導コイル５４ａへの電力供給の有無を切り換えるための判断指標となる前記上限設定温度は，通常，前記加熱ローラ５３が正常に回転している場合を想定して設定される。
しかし，前記加熱ローラ５３が正常に回転している場合には，該加熱ローラ５３の誘導加熱位置で加熱された部位が前記サーミスタ７８に到達するが，前記加熱ローラ５３が何らかの異常によって停止した場合には，前記加熱ローラ５３の誘導加熱位置において該加熱ローラ５３の同じ部位が局所的に加熱されることになる。そして，この場合には，前記加熱ローラ５３の誘導加熱位置からの熱伝導によって前記サーミスタ７８の設置位置で検出される前記加熱ローラ５３の温度が前記上限設定温度に達するまで異常加熱を検出することができないため，該異常加熱の発見が遅れるという問題が生じる。
そこで，本発明の実施の形態に係る複写機Ｘの定着装置５では，前記加熱ローラ５３が何らかの異常によって停止した場合に，該加熱ローラ５３の異常加熱を早期に検出して前記誘導コイル５４ａへの電力供給を遮断し，前記加熱ローラ５３の誘導加熱を停止させるべく，前記上限設定温度変更回路９０が設けられている。
【００１８】
前記上限設定温度変更回路９０は，前記パルス検出回路８１による検出結果に応じて前記定着高温検知回路７５における判断指標となる前記上限設定温度を変更する。具体的に，前記上限設定温度変更回路９０は，前記パルス検出回路８１により前記加熱ローラ５３の停止が検出されている場合の前記上限設定温度を，前記パルス検出回路８１により前記加熱ローラ５３の回転が検出されている場合の前記上限設定温度よりも低く設定する。ここに，係る設定を行うときの前記上限設定温度変更回路９０が上限設定温度変更手段の一例である。
例えば，前記ＣＰＵ７１によって前記サーミスタ７８によって検出される前記加熱ローラ５３の温度が１８０℃になるように定着温度制御が行われている場合，前記上限設定温度変更回路９０は，前記上限設定温度を，前記加熱ローラ５３が回転している場合には２５０℃，前記加熱ローラ５３が停止している場合には２００℃に設定する。
【００１９】
ここで，図３を用いて，前記定着高温検知回路７５及び前記上限設定温度変更回路９０の具体的な構成例について説明する。
図３に示すように，前記定着高温検知回路７５は，前記サーミスタ７８によって検出される前記加熱ローラ５３の温度に対応する検出電圧と，所定の電源Ｖｃｃから入力される前記上限設定温度に対応する基準電圧とを比較し，前記サーミスタ７８の検出電圧が前記基準電圧以上に達した場合に，前記加熱ローラ５３の温度が前記上限設定温度以上に達したと判断し，前記リレーコイル７６に検知信号を出力するコンパレータである。
一方，前記上限設定温度変更回路９０は，前記所定の電源Ｖｃｃからの入力電圧を分圧する３つの抵抗Ｒ１〜Ｒ３を有する分圧回路である。前記上限設定温度変更回路９０では，前記抵抗Ｒ１及び前記抵抗Ｒ２の間から前記定着高温検知回路７５に前記基準電圧として入力される電圧値が，前記抵抗Ｒ２及び前記抵抗Ｒ３の間に入力される前記パルス検出回路８１の出力信号に応じて変化する。具体的に，前記上限設定温度変更回路９０では，前記加熱ローラ５３の回転が検出されて前記パルス検出回路８１から“Ｈ”信号が入力された場合に比べて，前記加熱ローラ５３の停止が検出されて前記パルス検出回路８１から“Ｌ”信号が入力された場合の方が，前記定着高温検知回路７５に入力される基準電圧値が低くなる。
このように，前記上限設定温度変更回路９０は，前記パルス検出回路８１の検出結果に応じて，前記加熱ローラ５３の回転時に前記定着高温検知回路７５に入力する基準電圧と，前記加熱ローラ５３の停止時に前記定着高温検知回路７５に入力する基準電圧とを切り換えることによって，前記定着高温検知回路７５における上限設定温度を，前記加熱ローラ５３の回転時に対応して予め設定された第１の上限設定温度（例えば２５０℃）と，前記加熱ローラ５３の停止時に対応して予め設定された前記第１の上限設定温度よりも低い第２の上限設定温度（例えば２００℃）とに切り換える。
【００２０】
以上，説明したように，前記定着装置５では，前記加熱ローラ５３が異常停止すると，その後は，前記定着高温検知回路７５における判断指標となる上限設定温度が，前記加熱ローラ５３の回転時よりも低く設定されることになるため，該加熱ローラ５３の異常加熱を早期に発見して該異常加熱の継続を阻止することができる。
従って，前記定着装置５では，前記ゲート電源制御回路７３や前記ＩＧＢＴゲート駆動回路７２などに何らかの異常が生じており，それらによって前記誘導コイル５４ａへの電力供給が遮断されない場合でも，前記上限設定温度変更回路９０によって変更された後の前記加熱ローラ５３の停止時に対応する上限設定温度に基づいて，前記定着高温検知回路７５によって前記誘導コイル５４ａへの電力供給が遮断されることになる。よって，前記誘導コイル５４ａによる前記加熱ローラ５３や前記定着ベルト５２の局所的な異常加熱を確実且つ早期に防止することができ，安全性を向上させることができる。
【図面の簡単な説明】
【００２１】
【図１】本発明の実施の形態に係る複写機の概略構成を示すブロック図。
【図２】本発明の実施の形態に係る定着装置の概略構成を示す概略構成図。
【図３】本発明の実施の形態に係る定着装置に設けられた上限設定温度変更回路の一例を説明するための回路図。
【符号の説明】
【００２２】
１…操作表示部
２…画像読取部
３…画像処理部
４…画像形成部
５…定着装置
５１…定着ローラ
５１ａ…加圧ローラ
５２…定着ベルト
５３…加熱ローラ
５４…誘導加熱部（誘導加熱手段の一例）
５４ａ…誘導コイル
５４ｂ…磁性体コア
６…制御部
７…加熱制御部
７１…ＣＰＵ
７２…ＩＧＢＴゲート駆動回路
７３…ゲート電源制御回路（第１の電力供給遮断手段の一例）
７４…ＩＧＢＴ（スイッチング手段の一例）
７５…定着高温検知回路（第２の電力供給遮断手段の一例）
７６…リレーコイル
７７…リレー接点
７８…サーミスタ（ローラ温度検出手段の一例）
８０…ロータリーエンコーダ
８１…パルス検出回路（ローラ回転検出手段の一例）
９０…上限設定温度変更回路（上限設定温度変更手段の一例）
Ｘ…複写機（画像形成装置の一例）
【図１】
2010066543.tif 000003
【図２】
2010066543.tif 000004
【図３】
2010066543.tif 000005